Podtech/llm-jp-corpus-v4-ja_patent huggingface dataset:
【手続補正書】
【提出日】平成16年12月28日(2004.12.28)
【手続補正１】
【補正対象書類名】明細書
【補正対象項目名】特許請求の範囲
【補正方法】変更
【補正の内容】
【特許請求の範囲】
【請求項１】
多孔質構造のインク受容層を備え、且つ、該インク受容層が色材により画像が形成されている領域を有する記録物であって、
該領域は、インク受容層の厚さ方向に分布している色材の全てまたは実質的に全てが、該色材を溶解しない、不揮発性の液体中にある部分を有することを特徴とする記録物。
【請求項２】
多孔質構造のインク受容層を備え、且つ、該インク受容層が色材により画像が形成されている領域を有する記録物の製造方法であって、
（ｉ）該インク受容層にインクを付与して、該インクに含有された色材により画像が形成された領域を得る工程、
（ｉｉ）該インク受容層に、該色材を溶解しない不揮発性の液体を含む液体を付与する工程、及び
（ｉｉｉ）該画像が形成された領域に、インク受容層の厚さ方向に分布している該色材の全てまたは実質的に全てが該不揮発性の液体中にある部分を形成する工程を有することを特徴とする記録物の製造方法。
【請求項３】
該インク受容層の多孔質構造が微粒子によって形成され、且つ該色剤が該微粒子の表面に吸着している請求項２に記載の記録物の製造方法。
【請求項４】
該工程（ｉｉｉ）が、該画像が形成されている領域の少なくとも一部のインク受容層の厚さ方向に存在している孔部の全てまたは実質的に全てを、該不揮発性の液体によって充填する工程を含む請求項２または３に記載の記録物の製造方法。
【請求項５】
該不揮発性の液体が、シリコーンオイルを含む請求項２〜４のいずれかに記載の製造方法。
【請求項６】
該シリコーンオイルが、変性シリコーンオイルである請求項５に記載の製造方法。
【請求項７】
該不揮発性の液体が、飽和脂肪酸とアルコールとのエステルを含む請求項２〜４のいずれかに記載の製造方法。
【請求項８】
該飽和脂肪酸が多価飽和脂肪酸である請求項７に記載の製造方法。
【請求項９】
該アルコールが多価アルコールである請求項７または８に記載の製造方法。
【請求項１０】
該飽和脂肪酸が、炭素数５〜１８個の飽和脂肪酸であり、該アルコールが炭素数２〜３０個のアルコールである請求項７〜９のいずれかに記載の製造方法。
【請求項１１】
該不揮発性の液体が、下記構造式（６）で示される置換基を１つ以上有するヒンダードアミン化合物を含む請求項２〜４のいずれかに記載の製造方法。
【化１】
2003118228.tif 000001
（上記式（６）中、Ｒ９は、水素原子またはアルキル基、Ｒ１０〜Ｒ１３は、各々独立に、水素原子または炭素数１〜３のアルキル基を示す）。
【請求項１２】
該ヒンダードアミン化合物が、液体である請求項１１に記載の製造方法。
【請求項１３】
該不揮発性の液体に対して溶解または均一分散可能な物質を該不揮発性の液体が更に含む請求項５〜１２のいずれかに記載の製造方法。
【請求項１４】
該不揮発性の液体に対して溶解または均一分散可能な物質が、増粘剤である請求項１３に記載の製造方法。
【請求項１５】
インク受容層と該インク受容層を支持するための支持体と、更に該インク受容層と該支持体との間に多孔質層を備えている請求項２〜１４のいずれかに記載の製造方法。
【請求項１６】
該多孔質層が、硫酸バリウムを含んでいる請求項１５に記載の製造方法。
【請求項１７】
該微粒子がアルミナからなる請求項３〜１６のいずれかに記載の製造方法。
【請求項１８】
該微粒子が、酸化ケイ素からなる請求項３〜１６のいずれかに記載の製造方法。
【請求項１９】
該液体のインク受容層への付与時における、動的粘度が５０〜６００センチストークスである請求項２〜１８のいずれかに記載の製造方法。
【請求項２０】
多孔質構造のインク受容層を備え、且つ、該インク受容層が色材により画像が形成されている領域を有する記録物の画像堅牢性向上方法であって、
該画像が形成されている領域に、インク受容層の厚さ方向に分布している該色材の全てまたは実質的に全てが該色材を溶解しない、不揮発性の液体中にある部分を形成する工程を有することを特徴とする画像堅牢性の向上方法。
【請求項２１】
多孔質構造のインク受容層を備え、且つ、該インク受容層が色材により画像が形成されている領域を有する記録物の画像堅牢性を向上させるために、該画像が形成されている領域に、インク受容層の厚さ方向に分布している該色材の全てまたは実質的に全てが、該色材を溶解しない、不揮発性の液体中にある部分を形成する画像堅牢性向上方法であって、該液体がシリコーンオイルおよびヒンダードエステルから選ばれる少なくとも一つを含むことを特徴とする画像堅牢性の向上方法。
【請求項２２】
多孔質構造のインク受容層を備え、且つ、該インク受容層が色材により画像が形成されている領域を有する記録物の画像堅牢性向上剤であって、該色材を溶解しない、不揮発性の液体を主として含んでいることを特徴とする画像堅牢性向上剤。
【請求項２３】
多孔質構造のインク受容層を備え、且つ、該インク受容層が色材により画像が形成されている領域を有する記録物の該画像の堅牢性向上化キットであって、請求項２２に記載の画像堅牢性向上剤を含んでいる容器と、該液体を該インク受容層表面に供給したのちに、該表面に対して、ふき取り及び研磨の少なくとも一方を行う為の部材とを具備していることを特徴とする画像の堅牢性向上化キット。
【請求項２４】
請求項２２に記載の画像堅牢性向上化剤を含んでいることを特徴とするディスペンサ。
【請求項２５】
請求項２２に記載の画像堅牢性向上化剤を貯蔵する貯蔵部と、該画像堅牢性向上化剤の塗布部材とが一体化され、該貯蔵部内の画像堅牢性向上化剤が塗布部材表面に滲出可能に構成されていることを特徴とする画像堅牢性向上剤のアプリケータ。
【請求項２６】
被記録媒体が多孔質構造のインク受容層を備え、該インク受容層にインクジェット法により色材を付与して形成した画像の堅牢性を向上させる方法であって、
（i）該インク受容層にインクジェット法により色材を付与して画像を形成する工程、
（ii）該画像が形成されたインク受容層に、常温及び常圧で液体状態であり、該色材を溶解しない不揮発性の物質を主として含む画像堅牢性向上剤を付与する工程、及び
（iii）該画像が形成された領域に、インク受容層の厚さ方向に分布している該色材の全てまたは実質的に全てが該画像堅牢性向上剤中にある部分を形成する工程、を有することを特徴とするインクジェット記録画像の堅牢性の向上方法。
【請求項２７】
多孔質構造のインク受容層を具備している被記録媒体及び請求項２２に記載の画像堅牢性向上剤を備えていることを特徴とする画像堅牢性向上化キット。
【手続補正２】
【補正対象書類名】明細書
【補正対象項目名】００５２
【補正方法】変更
【補正の内容】
【００５２】
上記式（６）中、Ｒ９は水素原子またはアルキル基であり、炭素数１〜８の直鎖状若しくは分岐鎖状のものが好ましい。Ｒ１０〜Ｒ１３は各々独立に、水素原子または炭素数１〜３の直鎖状若しくは分岐鎖状のアルキル基である。
【手続補正書】
【提出日】平成16年9月28日(2004.9.28)
【手続補正１】
【補正対象書類名】明細書
【補正対象項目名】特許請求の範囲
【補正方法】変更
【補正の内容】
【特許請求の範囲】
【請求項１】
チューブを介してインクジェットヘッドにインクを加圧供給するインク供給装置であって、
前記チューブを介して前記インクジェットヘッドに接続されるインクタンクおよび前記インクタンクを収容するカートリッジケースから成るインクカートリッジを、着脱自在に収容する加圧タンクと、
前記加圧タンクに、前記インクタンクを加圧するための加圧エアーを供給するエアー供給機構とを備えたことを特徴とするインク供給装置。
【請求項２】
前記エアー供給機構は、インク供給専用に構成されていることを特徴とする請求項１に記載のインク供給装置。
【請求項３】
前記加圧タンクには、前記エアー供給機構からの加圧エアーが所定値以下に減圧したときに、前記加圧タンク内を大気に開放する大気開放バルブが設けられていることを特徴とする請求項１または２に記載のインク供給装置。
【請求項４】
前記加圧タンクは、アルミニウムの押出し形材で一体に形成した胴部と、
前記胴部の一方の小口に設けた閉塞部材と、
前記胴部の他方の小口に設けた蓋部材とを有していることを特徴とする請求項１ないし３のいずれかに記載のインク供給装置。
【請求項５】
前記加圧タンクは、前記インクカートリッジを着脱自在に収容するタンク本体と、前記タンク本体の収容開口を閉蓋する蓋部材とを有し、
前記蓋部材は、前記インクカートリッジが前記タンク本体に完全装着された状態でのみ完全閉塞可能に構成されていることを特徴とする請求項１ないし３のいずれかに記載のインク供給装置。
【請求項６】
前記加圧タンクは、前記蓋部材を前記タンク本体に閉塞状態にロックする一対の止め金具と、
前記一対の止め金具による前記蓋部材の完全閉塞状態を検出する検出器とを、更に有していることを特徴とする請求項５に記載のインク供給装置。
【請求項７】
インク色別の複数のインクカートリッジに対応して複数の加圧タンクを備え、
前記複数の加圧タンクに加圧エアーを供給する前記エアー供給機構は、単一のもので構成されていることを特徴とする請求項１に記載のインク供給装置。
【請求項８】
前記カートリッジケースには、前記インクタンクのインク供給口が臨むケース側接合部が窪入形成されており、
前記加圧タンクには、前記ケース側接合部に対応してタンク側接合部が突出形成され、
前記タンク側接合部には、前記チューブに連なると共に、前記インクカートリッジが完全装着されたときに前記インク供給口が接続される接続口が設けられていることを特徴とする請求項１ないし７のいずれかに記載のインク供給装置。
【請求項９】
前記ケース側接合部には、前記インクカートリッジの誤装着を阻止する挿入孔が形成されており、
前記タンク側接合部には、前記挿入孔に挿入される挿入ピンが設けられていることを特徴とする請求項８に記載のインク供給装置。
【請求項１０】
インク色別の複数のインクカートリッジに対応して複数の加圧タンクを備え、
前記ケース側接合部には、前記インクカートリッジのインク色別の切欠き部が形成され、
前記タンク側接合部には、前記切欠き部に挿入されるインク色別の挿入突起が設けられていることを特徴とする請求項８または９に記載のインク供給装置。
【請求項１１】
前記タンク側接合部はユニット化されており、
前記タンク本体の最奥部に取り付けられていることを特徴とする請求項８ないし１０のいずれかに記載のインク供給装置。
【請求項１２】
請求項１ないし１１のいずれかに記載のインク供給装置に、着脱自在に収容されることを特徴とするインクカートリッジ。
【請求項１３】
前記カートリッジケースには、前記インク供給口を形成した供給口金具を係止する係止溝が形成され、
前記係止溝は、前記ケース側接合部を構成するケース壁に形成したＵ字溝であり、前記Ｕ字溝には、供給口金具を溝底に抜止め状態で係止する一対の内向き突起が形成されていることを特徴とする請求項１２に記載のインクカートリッジ。
【請求項１４】
前記ケース側接合部には、これに臨む前記インク供給口の下側に位置して、インク吸収体が設けられていることを特徴とする請求項１２または１３に記載のインクカートリッジ。
【請求項１５】
請求項１ないし１１のいずれかに記載のインク供給装置を備えたことを特徴とするインクジェットプリンタ。
【手続補正２】
【補正対象書類名】明細書
【補正対象項目名】００１５
【補正方法】変更
【補正の内容】
【００１５】
なお、蓋部材は、ヒンジを中心に下側に開放されることが、好ましい。このようにすれば、蓋部材を開放するとタンク本体の収容開口が良く見え、インクカートリッジの着脱作業において、蓋部材が邪魔になることがなく、かえって蓋部材を仮置き台として利用することができる。
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
また、ヒンジは、開放した蓋部材を下方にスライド移動可能に構成されていることが、好ましい。このようにすれば、開放状態の蓋部材の位置が、タンク本体の収容開口から下方に十分に離れるため、着脱作業においてインクカートリッジを持った手が、蓋部材に触れることがなく、蓋部材が一層邪魔になることがない。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】変更
【補正の内容】
【００１９】
更に、ヒンジは、タンク本体に設けたヒンジピンと、蓋部材に設けられ先端部にヒンジピンが係合するヒンジ長穴を形成したヒンジ片とを有し、ヒンジ片およびヒンジ長穴は、それぞれ蓋部材に対し略直交する方向に延在していることが、好ましい。このようにすれば、蓋部材を開放したときは、ヒンジ長穴は上下に延在するため、蓋部材の前後方向の移動を規制され、ヒンジ長穴の長さ分下方に落ち込むように移動する。一方、蓋部材を閉塞するように起立させると、ヒンジ長穴は前後に延在するため、蓋部材の上下方向の移動を規制され、収容開口への押付け移動が許容される。このように簡単なヒンジ構造で、蓋部材の特殊な開放動作および閉塞動作を可能としている。
【手続補正７】
【補正対象書類名】明細書
【補正対象項目名】００２０
【補正方法】削除
【補正の内容】
【手続補正８】
【補正対象書類名】明細書
【補正対象項目名】００３９
【補正方法】変更
【補正の内容】
【００３９】
なお、インクタンクは、袋状のフィルムで構成され、カートリッジケースは、インクタンクを非気密状態で収容していることが、好ましい。このようにすれば、加圧タンクの内圧を、インクタンクに直接加えることができる。
【手続補正９】
【補正対象書類名】明細書
【補正対象項目名】００４０
【補正方法】削除
【補正の内容】
【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
インク液滴を吐出可能なノズルが複数配列された印字ヘッドの各ノズルについてのインク吐出状態を所定の出力値に変換するよう構成されたノズル検出機構と、
前記印字ヘッドの複数のノズルを、それぞれ所定数のノズルを含む複数のノズル群に分割し、当該ノズル群に含まれる前記ノズルから一括してインク液滴を吐出させるノズル群吐出機能と、前記ノズル検出機構から発せられた前記ノズル群についての総和出力値に基づいて前記ノズル群に不良ノズルが含まれているか否かを識別するノズル群識別機能と、前記ノズル群に不良ノズルが含まれていると識別された場合に当該ノズル群をさらに分割し前記ノズル群吐出機能及びノズル群識別機能を繰り返すことによって不良ノズルを特定するノズル特定機能とを有する制御部とを備えたことを特徴とするノズル検出装置。
【請求項２】
前記制御部は、ノズル群吐出機能が、前記印字ヘッドの複数のノズルを所定の行数及び列数からなるノズル配列のノズルブロックに分割し、当該ノズルブロック内における相対位置が同一の各ノズルブロックに含まれる前記ノズルの集合を前記ノズル群とするように構成されていることを特徴とする請求項１記載のノズル検出装置。
【請求項３】
前記制御部は、前記ノズル群吐出機能及び前記ノズル群識別機能に基づく一連の処理が、前記対象ノズル群に含まれる前記ノズルが一になるまで繰り返されるように構成されていることを特徴とする請求項２記載のノズル検出装置。
【請求項４】
前記制御部は、ノズル群識別機能が、前記ノズル群の実際の出力値と理論上の出力値とを比較することによって前記ノズル群に不良ノズルが含まれているか否かを識別するように構成されていることを特徴とする請求項１乃至３のいずれか１項記載のノズル検出装置。
【請求項５】
請求項１乃至４のいずれか１項記載のノズル検出装置と、
前記印字ヘッドの各ノズルをクリーニングするためのクリーニング機構とを備えたクリーニング装置であって、
前記制御部が、ノズル特定機能に基づいて特定された不良ノズルのみを対象にしてクリーニング機構を作動させるノズル単体クリーニング機能を有することを特徴とするクリーニング装置。
【請求項６】
請求項２乃至４のいずれか１項記載のノズル検出装置と、
前記印字ヘッドの各ノズルをクリーニングするためのクリーニング機構とを備えたクリーニング装置であって、
前記制御部が、ノズル特定機能に基づいて特定された不良ノズルを含む前記ノズルブロックを対象にしてクリーニング機構を作動させるノズルブロッククリーニング機能を有することを特徴とするクリーニング装置。
【請求項７】
複数のインクノズルが形成されたノズル形成面を備える印刷ヘッドを有し、前記インクノズルからインク液滴を吐出して印刷を行なうインクジェットプリンタにおいて、
前記インクノズルを複数の集合に分割し、当該集合ごとにインク液滴を吐出させる吐出制御手段と、
前記インクノズルからのインク液滴の吐出状態を検出する吐出検出手段であって、吐出されたインク液滴の量に応じてその出力値が変化するものと、
前記吐出制御手段と前記吐出検出手段とにより、前記分割されたインクノズルの集合ごとに吐出検出を行なわせ、当該集合に含まれる前記インクノズルが不良であるか否かを判断する判断手段とを有することを特徴とするインクジェットプリンタ。
【請求項８】
複数のインクノズルが形成されたノズル形成面を備える印刷ヘッドを有し、前記インクノズルからインク液滴を吐出して印刷を行なうインクジェットプリンタを制御する方法において、
前記インクノズルを複数の集合に分割し、当該集合ごとにインク液滴を吐出させる吐出制御ステップと、
前記インクノズルからのインク液滴の吐出状態を検出し、吐出されたインク液滴の量に応じてその出力値を変化させる吐出検出ステップと、
前記分割されたインクノズルの集合ごとに吐出検出を行なわせ、当該集合に含まれる前記インクノズルが不良であるか否かを判断する判断ステップとを有することを特徴とするインクジェットプリンタの制御方法。
【手続補正２】
【補正対象書類名】明細書
【補正対象項目名】００１０
【補正方法】変更
【補正の内容】
【００１０】
さらに、本発明において、制御部は、ノズル群識別機能が、前記ノズル群の実際の出力値と理論上の出力値とを比較することによって前記ノズル群に不良ノズルが含まれているか否かを識別するように構成されていることも効果的である。
【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
画像印刷装置であって、
モノクロ印刷用のレーザープリントエンジンと、
カラー印刷用のインクジェットプリントエンジンと、
単一の印刷媒体の補給品と、
第１および第２の紙ピック機構を有するデュアル紙ピック装置と、を備え、
前記第１の紙ピック機構は、前記単一の印刷媒体の補給品から、前記レーザープリントエンジンを含む第１の搬送経路に印刷媒体を供給し、前記第２の紙ピック機構は、前記単一の印刷媒体の補給品から、前記インクジェットプリントエンジンを含む第２の搬送経路に印刷媒体を供給する、
ことを特徴とする画像印刷装置。
【請求項２】
前記画像印刷装置の動作を制御するファームウェアをさらに含み、該ファームウェアは、
印刷ジョブのデータを受け取り、
前記印刷ジョブのそれぞれのページについて、そのページをモノクロで印刷するべきかカラーで印刷するべきかを判定し、
そのページについての印刷データを、そのページをモノクロで印刷するべきかカラーで印刷するべきかの前記判定次第で、前記レーザープリントエンジンまたは前記インクジェットプリントエンジンに送り、
そのページについての印刷データを受け取るプリントエンジンに印刷媒体を供給するように、前記デュアル紙ピック装置を制御する、
請求項１に記載の画像印刷装置。
【請求項３】
前記第１および第２の紙ピック機構はそれぞれ、前記印刷媒体の補給品と選択的に接触する従動ローラを含む、請求項１に記載の画像印刷装置。
【請求項４】
前記レーザープリントエンジンと前記インクジェットプリントエンジンの両方が印刷した印刷ジョブのシートがインターリーブされる出力トレイを含む出力領域を備える、請求項２に記載の画像印刷装置。
【請求項５】
モノクロ印刷用のレーザープリントエンジンとカラー印刷用のインクジェットプリントエンジンの両方を含む画像印刷装置で印刷ジョブを印刷する方法であって、
前記画像印刷装置内に印刷ジョブのデータを受け取るステップと、
前記印刷ジョブのそれぞれのページについて、そのページをモノクロで印刷するべきかカラーで印刷するべきかを判定するステップと、
前記単一の印刷媒体の補給品から、前記レーザープリントエンジンを含む第1の搬送経路あるいは前記インクジェットプリントエンジンを含む第２の搬送経路に印刷媒体を供給するステップであって、その供給が第１および第２の紙ピック機構を有するデュアル紙ピック装置によって遂行され、前記第１の紙ピック機構は前記第1の搬送経路に対応し、前記第２の紙ピック機構は前記第２の搬送経路に対応するステップと、
前記ページを前記第１の搬送経路で印刷するべきか前記第２の搬送経路で印刷するべきかの前記判定次第で、前記プリントジョブの特定のページを印刷するプリントエンジンに選択的に印刷媒体を供給するように、前記デュアル紙ピック装置を制御するステップと、
前記ページをモノクロで印刷するべきかカラーで印刷するべきかの前記判定次第で、そのページを前記レーザープリントエンジンまたは前記インクジェットプリントエンジンで印刷するステップと、
を含むことを特徴とする方法。
【請求項６】
単一の印刷媒体の補給品と、モノクロ印刷用のレーザープリントエンジンおよびカラー印刷用のインクジェットプリントエンジンの双方を備える画像印刷装置であって、
前記画像印刷装置内に印刷ジョブのデータを受け取る手段と、
前記印刷ジョブのそれぞれのページについて、そのページをモノクロで印刷するべきかカラーで印刷するべきかを判定する手段と、
前記印刷ジョブの特定のページについての印刷データを、そのページをモノクロで印刷するべきかカラーで印刷するべきかの前記判定次第で、前記単一の印刷媒体の補給品から前記レーザープリントエンジンまたは前記インクジェットプリントエンジンに選択的に送る手段と、
前記ページをモノクロで印刷するべきかカラーで印刷するべきかの前記判定次第で、そのページを前記レーザープリントエンジンまたは前記インクジェットプリントエンジンで印刷する手段と、
を備えることを特徴とする画像印刷装置。
【請求項７】
第１および第２の紙ピック機構を有し、前記第１の紙ピック機構は、前記単一の印刷媒体の補給品から、前記レーザープリントエンジンを含む第１の搬送経路に印刷媒体を供給し、前記第２の紙ピック機構は、前記単一の印刷媒体の補給品から、前記インクジェットプリントエンジンを含む第２の搬送経路に印刷媒体を供給するデュアル紙ピック装置と、
前記ページをモノクロで印刷するべきかカラーで印刷するべきかの前記判定次第で、前記印刷ジョブの特定のページを印刷するプリントエンジンに選択的に印刷媒体を供給するように前記デュアル紙ピック装置を制御する手段と、
をさらに備える、請求項６に記載の画像印刷装置。
【請求項８】
前記画像印刷装置の出力トレイに前記レーザープリントエンジンと前記インクジェットプリントエンジンの両方が印刷した印刷ジョブのシートをインターリーブする手段をさらに備える、請求項６に記載の画像印刷装置。
【請求項９】
印刷装置に印刷媒体を送る装置であって、
単一の印刷媒体の補給品から第１の搬送経路に印刷媒体を供給する第１の印刷媒体ピック機構と、
単一の印刷媒体の補給品から第２の搬送経路に印刷媒体を供給する第２の印刷媒体ピック機構と、を備え、
前記第１の搬送経路は、レーザープリントエンジンを備え、前記第２の搬送経路は、インクジェットプリントエンジンを備えることを特徴とする装置。
【請求項１０】
前記印刷媒体を送る装置を制御するファームウェアをさらに含み、該ファームウェアは、
印刷ジョブのデータを受け取り、
前記印刷ジョブのそれぞれのページについて、そのページをモノクロで印刷するべきかカラーで印刷するべきかを判定し、
そのページについての印刷データを、そのページをモノクロで印刷するべきかカラーで印刷するべきかの前記判定次第で、前記レーザープリントエンジンまたは前記インクジェットプリントエンジンに送り、
そのページについての印刷データを受け取るプリントエンジンに印刷媒体を供給するように、前記印刷媒体を送る装置を制御する、
請求項９に記載の装置。
【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】  受像体に画像をプリントする熱インクジェットプリンタであって、
a.作動流体を受け入れるための第１のチャンバと、第２のチャンバとを内部に画定するプリントヘッドと、
b. 前記第１のチャンバと第２のチャンバとを分離する、柔軟性を有するメンブレンと、
c. 前記第１のチャンバ内で前記作動流体に連通し、前記第１のチャンバ内の前記作動流体内の第１の圧力波を誘導する第１のトランスデューサであって、前記メンブレンは前記第２のチャンバへと曲がるようになっている第１のトランスデューサと、
d. 前記第１のチャンバ内で前記作動流体に連通し、前記第１のチャンバ内の前記作動流体内の第２の圧力波を誘導する第２のトランスデューサであって、前記メンブレンは前記第２のチャンバへと曲がるようになっている第２のトランスデューサと
を含むことを特徴とする熱インクジェットプリンタ。
【請求項２】  熱インクジェットプリンタであって、
a. 内部に第１のチャンバと第２のチャンバとを画定するプリントヘッドと、
b. 前記第１のチャンバと前記第２のチャンバとを分離する、柔軟性を有するメンブレンと、
c. 作動流体を含む前記第１のチャンバ内に配置され、前記作動流体と連通して前記メンブレンをインク本体を有する前記第２のチャンバへと曲げる第１のトランスデューサ及び第２のトランスデューサとを
含むことを特徴とする熱インクジェットプリンタ。
【請求項３】  受像体に画像をプリントする熱インクジェットプリンタの組立方法であって、
a.作動流体を受け入れるための第１のチャンバと、第２のチャンバとを内部に画定するプリントヘッドを設けるステップと、
b. 前記第１のチャンバと前記第２のチャンバとを柔軟性を有するメンブレンで分離するステップと、
c. 前記第１のチャンバ内で前記作動流体に連通し、前記第１のチャンバ内の前記作動流体内の第１の圧力波を誘導する第１のトランスデューサを配置するステップと、
d. 前記第１のチャンバ内で前記作動流体に連通し、前記第１のチャンバ内の前記作動流体内の第２の圧力波を誘導する第２のトランスデューサであって、前記メンブレンは前記第２のチャンバへと曲がるようになっている第２のトランスデューサを配置するステップと
を含むことを特徴とする熱インクジェットプリンタの組立方法。
【手続補正書】
【提出日】平成16年6月29日(2004.6.29)
【手続補正１】
【補正対象書類名】明細書
【補正対象項目名】特許請求の範囲
【補正方法】変更
【補正の内容】
【特許請求の範囲】
【請求項１】
熱除去能力が強化された熱インクジェットプリンタにおいて、
（ａ）インク本体を保持するようになっている熱インクジェットプリントヘッドであって、
（ｉ）前記インク本体に流体連通するようになっている加熱要素と、
（ｉｉ）前記加熱要素に熱的に連通して該加熱要素から前記インク本体に熱を伝える熱除去構造と、
を有するプリントヘッドと、
（ｂ）前記加熱要素に結合されたコントローラと、
を備えているプリンタ。
【請求項２】
熱除去能力が強化された熱インクジェットプリンタにおいて、
（ａ）内部にインク本体を保持するようになっている熱インクジェットプリントヘッドであって、
（ｉ）前記インク本体に流体連通して熱を発生して前記インク本体を加熱するようになっており、該インク本体内に気泡が形成されるようにする、抵抗加熱要素と、
（ｉｉ）前記加熱要素に熱的に連通し前記インク本体に流体連通して、前記加熱要素から前記インク本体に熱を伝える、熱除去構造と、
を有するプリントヘッドと、
（ｂ）前記加熱要素に結合されて、該加熱要素に複数の電気パルスを制御可能に供給して、該加熱要素を通電する、コントローラと、
を備えているプリンタ。
【請求項３】
熱除去能力が強化された熱インクジェットプリントヘッドにおいて、
（ａ）インク本体を保持するようになっている、インクジェットカートリッジシェルと、
（ｂ）前記インクカートリッジシェル内に配置され、前記インク本体と流体連通するようになっている、加熱要素と、
（ｃ）前記加熱要素に熱的に連通して、該加熱要素から前記インク本体に熱を伝える、熱除去構造と、
を備えているプリントヘッド。
【請求項４】
熱除去能力が強化された熱インクジェットプリンタの製造方法において、
（ａ）インク本体に流体連通するようになっている加熱要素を設けるステップと、
（ｂ）前記加熱要素から前記インク本体に熱を伝えるために、該加熱要素に熱的に連通するように熱除去構造を配置するステップと、
（ｃ）前記加熱要素にコントローラを結合するステップと、
を含む方法。
【請求項５】
熱除去能力が強化された熱インクジェットプリントヘッドの製造方法において、
（ａ）インク本体を保持するようになっているインクカートリッジシェルを設けるステップと、
（ｂ）前記インク本体と流体連通するようになっている加熱要素を、前記インクカートリッジシェル内に配置するステップと、
（ｃ）前記加熱要素に熱的に連通して、該加熱要素から前記インク本体に熱を伝える熱除去構造を配置するステップと、
を含む方法。
【手続補正書】
【提出日】平成17年10月11日(2005.10.11)
【手続補正１】
【補正対象書類名】明細書
【補正対象項目名】特許請求の範囲
【補正方法】変更
【補正の内容】
【特許請求の範囲】
【請求項１】  扁平な第１面、反対側の扁平な第２面、それらの間の厚み、クリーニング端部、及び末端取り付け端部を形成した細長い扁平なブレード本体と、前記クリーニング端部に含まれた第１スクレーパエッジを露呈させて前記クリーニング端部の近傍で前記第１面上に配置され、前記クリーニング端部の近傍の外面が比較的低硬度の材料で構成された第１ワイパー面を形成し、前記第１スクレーパエッジが比較的高硬度の材料で構成された小形扁平な第１ワイパーブレードと、前記クリーニング端部に含まれた第２スクレーパエッジを露呈させて前記クリーニング端部の近傍で前記第２面上に配置され、前記クリーニング端部の近傍の外面が比較的低硬度の材料で構成された第２ワイパー面を形成し、前記第２スクレーパエッジが比較的高硬度の材料で構成された小形扁平な第１ワイパーブレードとを備えたことを特徴とする層状クリーニングブレード。
【請求項２】  扁平な第１面、反対側の扁平な第２面、それらの間の第１厚み、第１クレーニング端部、及び末端取り付け端部を形成した細長い扁平な第１ブレード本体と、前記第１面上に配置され、前記第１のクリーニング端部の近傍に比較的低硬度の材料で構成された第１外側ワイパー面を有し、前記第２面が前記第１クリーニング端部の近傍に比較的高硬度の材料で構成された第１スクレーパエッジを形成している小形扁平な第１ワイパーブレードとを備えた第１層状クリーニングブレードと、扁平な第３面、反対側の扁平な第４面、それら間の第２厚み、第２クリーニング端部、及び末端取り付け端部を形成した細長い扁平な第２ブレード本体と、前記第３面上に配置され、前記第２のクリーニング端部の近傍に比較的低硬度の材料で構成された第２外側ワイパー面を有し、前記第４面が前記第２クリーニング端部の近傍に比較的高硬度の材料で構成された第２スクレーパエッジを形成している小形扁平な第２ワイパーブレードとを備えた第２層状クリーニングブレードとを含むことを特徴とする層状クリーニングブレード構造。
【請求項３】  １又は複数の層状クリーニングブレードを具備して構成され、前記１又は複数の層状クリーニングブレードの少なくとも１つが、扁平な第１面、反対側の扁平な第２面、それらの間の厚み、クリーニング端部、及び末端取り付け端部を形成した細長い扁平なブレード本体と、前記クリーニング端部に含まれた第１スクレーパエッジを露呈させて前記クリーニング端部の近傍で前記第１面上に配置され、前記クリーニング端部の近傍の外面が比較的低硬度の材料で構成された第１ワイパー面を形成し、前記第１スクレーパエッジが比較的高硬度の材料で構成された小形扁平な第１ワイパーブレードと、前記クリーニング端部に含まれた第２スクレーパエッジを露呈させて前記クリーニング端部の近傍で前記第２面上に配置され、前記クリーニング端部の近傍の外面が比較的低硬度の材料で構成された第２ワイパー面を形成し、前記第２スクレーパエッジが比較的高硬度の材料で構成された小形扁平な第１ワイパーブレードとを備えたことを特徴とする画像形成装置。
【請求項４】  １又は複数の層状クリーニングブレード構造を具備して構成され、前記１又は複数の層状クリーニングブレード構造の少なくとも１つが、扁平な第１面、反対側の扁平な第２面、それらの間の第１厚み、第１クレーニング端部、及び末端取り付け端部を形成した細長い扁平な第１ブレード本体と、前記第１面上に配置され、前記第１のクリーニング端部の近傍に比較的低硬度の材料で構成された第１外側ワイパー面を有し、前記第２面が前記第１クリーニング端部の近傍に比較的高硬度の材料で構成された第１スクレーパエッジを形成している小形扁平な第１ワイパーブレードとを備えた第１層状クリーニングブレードと、扁平な第３面、反対側の扁平な第４面、それら間の第２厚み、第２クリーニング端部、及び末端取り付け端部を形成した細長い扁平な第２ブレード本体と、前記第３面上に配置され、前記第２のクリーニング端部の近傍に比較的低硬度の材料で構成された第２外側ワイパー面を有し、前記第４面が前記第２クリーニング端部の近傍に比較的高硬度の材料で構成された第２スクレーパエッジを形成している小形扁平な第２ワイパーブレードとを備えた第２層状クリーニングブレードとを含むことを特徴とする画像形成装置。
【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
連続状シートを収納する筐体と、
前記筐体の開口部を開閉する蓋体と、
前記連続状シート及び単票シートに印字を行う印字ヘッドと、
前記筐体側における前記印字ヘッドの下流位置に設けられ、前記連続状シートと前記単票シートとを分岐させる分岐体であって、前記蓋体の開閉を妨げない位置に退避可能なものと、
前記筐体側に設けられ、直線方向に操作される蓋体開操作ボタンと、
前記蓋体を閉位置にロックする蓋体ロック機構であって、前記蓋体開操作ボタンの操作に応じて、前記蓋体の開動作を許容すると共に、前記分岐体を退避側に動作させるものと、
を備えることを特徴とするプリンタ。
【請求項２】
前記蓋体ロック機構は、
前記筐体側に設けられるロックピンと、
前記蓋体側に回動自在に設けられ、前記ロックピンに対して係脱可能なロックレバーと、
前記筐体側に回動自在に設けられるロック解除レバーであって、前記蓋体開操作ボタンの操作に応じて、前記ロックレバーをロック解除側に動作させると共に、前記分岐体を退避側に動作させるものと、
を備えることを特徴とする請求項１に記載のプリンタ。
【請求項３】
前記蓋体に回動自在に設けられる可動プラテンであって、前記蓋体の開操作に伴って前記印字ヘッドの近接対向位置から後退し、且つ、前記蓋体の閉操作に伴って前記印字ヘッドの近接対向位置に向けて前進するものを更に備えることを特徴とする請求項１又は２に記載のプリンタ。
【請求項４】
前記分岐体に設けられる固定側搬送ローラと、前記可動プラテンに設けられ、前記固定側搬送ローラとの間で前記連続状シートを搬送する可動側搬送ローラとを更に備えることを特徴とする請求項１〜３の何れかに記載のプリンタ。
【請求項５】
前記分岐体は、前記可動側搬送ローラに対して進退方向回動自在に構成されると共に、押えバネによって前進方向に付勢されていることを特徴とする請求項１〜４の何れかに記載のプリンタ。
【請求項６】
前記分岐体は、前記連続状シートを切断するための固定刃を備えることを特徴とする請求項１〜５の何れかに記載のプリンタ。
【請求項７】
前記ロック解除レバーは、前記蓋体開操作ボタンに連繋される第１レバー部と、前記ロックレバー及び前記分岐体に連繋される第２レバー部と、前記第１及び第２レバー部を一体的に連結する連結部とを備えて形成され、前記第１及び第２レバー部がそれぞれ回動支持されることを特徴とする請求項１〜６の何れかに記載のプリンタ。
【請求項８】
前記ロック解除レバーを回動自在に支持するロック解除レバー支持部は、通常回動範囲外における前記ロック解除レバーの横方向からの取り付けを許容する回動支持部と、通常回動範囲内における前記ロック解除レバーの横方向移動を規制するストッパ部とを備え、更に、前記ロック解除レバーの通常回動範囲外への回動が前記蓋体開操作ボタンによって規制されることを特徴とする請求項１〜７の何れかに記載のプリンタ。
【請求項９】
前記第１もしくは第２レバー部は、回動支点孔に連続する切欠き部を備える一方、前記回動支持部は、前記切欠き部が嵌合可能な幅狭部と、該幅狭部から横方向に突設され、前記切欠き部が前記幅狭部に嵌合した状態で前記回動支点孔との嵌合が許容される回動支点軸部とを備えることを特徴とする請求項１〜８の何れかに記載のプリンタ。
【請求項１０】
連続状シートを収納する収納部を有する筐体と、
前記収納部の開口を開閉する蓋体と、
前記連続状シート及び単票シートに印字を行う印字ヘッドと、
前記蓋体に回動自在に設けられ、前記印字ヘッドの近接対向位置で前記連続状シート及び前記単票シートの裏面を案内する可動プラテンであって、前記蓋体の開操作に伴って前記近接対向位置から後退し、且つ、前記蓋体の閉操作に伴って前記近接対向位置に向けて前進するものと、
前記蓋体の開閉に伴い、前記可動プラテンの固定端側と係合して前記可動プラテンの自由端側を背反方向に回動させるガイド部材と、
前記筐体側における前記印字ヘッドの下流位置に設けられ、前記連続状シートと前記単票シートとを分岐させる分岐体であって、前記蓋体の開閉を妨げない位置に退避可能なものと、
前記筐体側に設けられ、直線方向に操作される蓋体開操作ボタンと、
前記蓋体を閉位置にロックする蓋体ロック機構であって、前記蓋体開操作ボタンの操作に応じて、前記蓋体の開動作を許容すると共に、前記分岐体を退避側に動作させるものと、
を備えることを特徴とするプリンタ。
【手続補正書】
【提出日】平成16年6月30日(2004.6.30)
【手続補正１】
【補正対象書類名】明細書
【補正対象項目名】特許請求の範囲
【補正方法】変更
【補正の内容】
【特許請求の範囲】
【請求項１】
チェック紙に記録された磁気インク文字を読み取り可能な磁気ヘッドと、
前記チェック紙に印字可能な印字ヘッドと、
前記印字ヘッドを搭載し、所定の方向に往復動可能なキャリッジと、
前記チェック紙を搬送するための紙経路であって、前記磁気ヘッドと前記印字ヘッドとを結ぶ第１の紙経路と、
前記チェック紙を搬送する紙送りローラと、
第１の紙経路から分岐し、前記紙送りローラの周囲を含んだ第２の紙経路を形成するための部材であって、前記紙送りローラに対して閉じた閉位置と前記紙送りローラに対して開いた開位置との間で移動可能な紙反転ガイド部材と、
第１の紙経路と第２の紙経路とが交叉する部分に設けられ、チェック紙の紙経路を第１の紙経路又は第２の紙経路のいずれか一方に切換え可能な切換部材とを備えたことを特徴とするプリンタ。
【請求項２】
紙反転ガイド部材と係合可能な作動部材を備え、
前記紙反転ガイド部材は、付勢されることによって閉位置に移動し、前記作動部材と係合することによって開位置に移動するように構成されていることを特徴とする請求項１記載のプリンタ。
【請求項３】
前記作動部材は、前記キャリッジと所定の位置で係合することによって前記紙反転ガイド部材を作動するように構成されていることを特徴とする請求項２記載のプリンタ。
【請求項４】
前記切換部材は、付勢されることにより第１の紙経路を閉じる位置に配置され、前記キャリッジの位置に応じて第１の紙経路を開く位置に配置されるように構成されていることを特徴とする請求項１乃至３のいずれか１項記載のプリンタ。
【請求項５】
前記第１の紙経路に進退可能に設けられたフォームストッパを備え、
当該フォームストッパは、閉位置に配置された紙反転ガイド部材と対向することによって前記紙送りローラに対して閉じた紙経路を形成するように構成されていることを特徴とする請求項１乃至４のいずれか１項記載のプリンタ。
【請求項６】
第１紙経路に沿って配置され、記録紙に印字を行う印字ヘッドと、
前記記録紙を前記印字ヘッドに向かう第１方向及び前記第１方向と反対の第２方向に搬送可能な搬送ローラ対であって、第１ローラ及び第２ローラを備えるものと、
前記第１ローラの外周に沿って弧状に形成され、前記第１ローラに対して前記第２方向の側で前記第１紙経路から分岐するとともに、前記第１ローラに対して前記第１方向の側で前記第１紙経路に合流する第２紙経路と、
前記第１紙経路と前記第２紙経路の分岐位置に配置され、前記第２方向に搬送される前記記録紙の経路を前記第１紙経路又は前記第２紙経路の何れかに切り換えるための経路切換部材であって、前記第１紙経路を選択する第１位置と、前記第２紙経路を選択する第２位置とに変位可能なものとを有することを特徴とするプリンタ。
【請求項７】
請求項６に記載のプリンタにおいて、
前記印字ヘッドを搭載し、前記第１方向及び前記第２方向に略直交する方向に往復移動可能なキャリッジと、
前記キャリッジの所定位置への移動に応じて、前記切換部材を前記第１位置に変位せしめる切換カムと、
前記経路切換部材を前記第２位置に付勢する付勢部材とを有することを特徴とするプリンタ。
【請求項８】
請求項６又は７に記載のプリンタにおいて、
前記第１紙経路に沿って前記第１方向に搬送された前記記録紙の後端部が前記分岐位置を越えて位置する場合に、前記経路切換部材を前記第１位置又は前記第２位置の一方に変位せしめ、前記搬送ローラ対を駆動して前記記録紙を前記第２方向に搬送させる切換制御部を有することを特徴とするプリンタ。
【請求項９】
請求項６〜８の何れかに記載のプリンタにおいて、
前記第２紙経路を形成するガイド部材であって、前記第１紙経路と略平行な方向に前記記録紙を案内する開位置と、前記第１紙経路と前記第２紙経路の合流位置に前記記録紙を案内する閉位置との間で変位可能なものを有することを特徴とするプリンタ。
【請求項１０】
請求項９に記載のプリンタにおいて、
前記ガイド部材を前記閉位置に付勢する付勢部材と、
前記印字ヘッドを搭載し、前記第１方向及び前記第２方向に略直交する方向に往復移動可能なキャリッジと、
回動可能に支持され、前記キャリッジと係合可能な第１係合部と、前記ガイド部材と係合可能な第２係合部とを有するガイド作動部材とを有し、
前記ガイド作動部材は、前記キャリッジの所定位置への移動に応じて、前記第１係合部が前記キャリッジに係合して回動することにより、前記第２係合部が前記ガイド部材と係合し、前記付勢部材の付勢力に抗して前記ガイド部材を前記開位置に変位させることを特徴とするプリンタ。
【請求項１１】
請求項９又は１０に記載のプリンタにおいて、
前記開位置にある前記ガイド部材に沿って前記第２方向に搬送される前記記録紙の進行方向側の端部が、前記ガイド部材の前記合流側の端部を越えた後に、前記ガイド部材を前記閉位置に変位させるガイド制御部を有することを特徴とするプリンタ。
【請求項１２】
請求項１１に記載のプリンタにおいて、
前記ガイド制御部は、前記第２紙経路内に搬送され前記進行方向側の端部が前記合流位置を越えて位置する前記記録紙を前記第１方向へ搬送する場合に、前記ガイド部材を前記開位置に変位させることを特徴とするプリンタ。
【請求項１３】
請求項６〜１２の何れかに記載のプリンタにおいて、
前記第１紙経路に進退可能に設けられた位置決めストッパを有し、前記位置決めストッパは、前記閉位置に位置する前記反転ガイド部材と共に前記第２紙経路を形成することを特徴とするプリンタ。
【請求項１４】
請求項６〜１３の何れかに記載のプリンタにおいて、
前記第１紙経路に沿って前記印字ヘッド上を搬送される前記記録紙の第１面に印字を行わせ、前記第２紙経路を経由して前記印字ヘッド上を搬送される前記記録紙の第２面に印字を行わせる印字制御部を有することを特徴とするプリンタ。
【請求項１５】
請求項６〜１４の何れかに記載のプリンタにおいて、
前記印字ヘッドと前記第１ローラとは、前記第１紙経路に対して同一側に位置することを特徴とするプリンタ。
【手続補正書】
【提出日】平成16年6月7日(2004.6.7)
【手続補正１】
【補正対象書類名】明細書
【補正対象項目名】特許請求の範囲
【補正方法】変更
【補正の内容】
【特許請求の範囲】
【請求項１】
オフセット縁部軸を有する出力受けと、前記出力受けの前記オフセット縁部軸との長手方向整合位置を基準にした媒体の横方向位置を感知して、前記出力受けの前記オフセット縁部軸と長手方向に整合した媒体の横方向位置の感知に応答して整合信号を出力するように構成されたセンサと、前記センサとつながって、長手方向移動信号と前記センサから整合信号が送られない時に横方向移動信号を出力するように構成されたコントローラと、前記コントローラとつながって、前記コントローラからの横方向移動信号に応答して、媒体を前記出力受けの前記オフセット縁部軸と整合する位置に向けて横方向に搬送するように構成された横方向搬送機と、前記コントローラとつながって、前記コントローラからの長手方向移動信号に応答して、媒体を前記オフセット縁部軸と長手方向に整合した状態で長手方向に前記出力受けに送り込むように構成された長手方向コンベヤと、を備えることを特徴とするトランスファ媒体を位置決めする装置。
【請求項２】
前記長手方向コンベヤは、前記横方向搬送機によって担持されていることを特徴とする請求項１に記載の装置。
【請求項３】
前記横方向搬送機は、前記長手方向コンベヤによって担持されていることを特徴とする請求項１に記載の装置。
【請求項４】
前記出力受けは、第２オフセット縁部軸と、前記出力受けの前記第２オフセット縁部軸との長手方向整合位置を基準にして媒体の横方向位置を感知し、前記出力受けの前記第２オフセット縁部軸と長手方向に整合した媒体の横方向位置を感知すると第２整合信号を出力するように構成された第２センサと、を備え、前記コントローラは、前記第２センサから第２整合信号が送られない時に逆横方向移動信号を出力するように構成され、前記横方向搬送機は、前記コントローラからの逆横方向移動信号に応答して、媒体を前記出力受けの前記第２オフセット縁部軸と整合する位置に向けて横方向に搬送するように構成される、ことを特徴とする請求項１に記載の装置。
【請求項５】
前記横方向搬送機は、ローラ、ベルトおよびキャリッジから選択されることを特徴とする請求項１に記載の装置。
【請求項６】
第１および第２オフセット縁部軸を有する出力受けと、前記出力受けの前記第１オフセット縁部軸との長手方向整合位置を基準にして媒体の横方向位置を感知し、前記出力受けの前記第１オフセット縁部軸と長手方向に整合した媒体の横方向位置を感知すると第１整合信号を出力するように構成された第１センサと、前記出力受けの前記第２オフセット縁部軸との長手方向整合位置を基準にして媒体の横方向位置を感知し、前記出力受けの前記第２オフセット縁部軸と長手方向に整合した媒体の横方向位置を感知すると第２整合信号を出力するように構成された第２センサと、前記第１センサおよび第２センサとつながって、選択的に前記第１センサから前記第１整合信号が送られない時に横方向移動信号を出力し、長手方向移動信号を出力するとともに、前記第２センサから前記第２整合信号が送られない時に逆横方向移動信号を出力するように構成されたコントローラと、前記コントローラとつながって、前記コントローラからの横方向移動信号に応答して、媒体を前記出力受けの前記第１オフセット縁部軸と整合する位置に向けて横方向に搬送し、前記コントローラからの逆横方向移動信号に応答して、媒体を前記出力受けの前記第２オフセット縁部軸と整合する位置に向けて横方向に搬送するように構成された横方向搬送機と、前記コントローラとつながって、前記コントローラからの前記長手方向移動信号に応答して、媒体を長手方向に前記出力受けに送り込むように構成された長手方向コンベヤと、を備えたことを特徴とするトランスファ媒体を位置決めする装置。
【請求項７】
前記長手方向コンベヤは、前記横方向搬送機によって担持されていることを特徴とする請求項６に記載の装置。
【請求項８】
前記横方向搬送機は、前記長手方向コンベヤによって担持されていることを特徴とする請求項６に記載の装置。
【請求項９】
前記横方向搬送機は、ローラ、ベルトおよびキャリッジから選択されることを特徴とする請求項６に記載の装置。
【請求項１０】
前記長手方向搬送機は、ローラ、ベルトおよびキャリッジから選択されることを特徴とする請求項６に記載の装置。
【手続補正２】
【補正対象書類名】図面
【補正対象項目名】図３
【補正方法】変更
【補正の内容】
【図３】
2003118907.tif 000001
【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
インクジェットヘッドに対峙すると共に連続紙の送り経路上に配設され、印刷に供する前記連続紙をエアー吸引する吸着テーブルと、
前記吸着テーブルに吸着させた状態で前記連続紙をその長さ方向に送る送り機構と、
前記吸着テーブルに配設され、前記連続紙の送りを許容すると共に前記連続紙における幅方向の両縁部の浮き上がりを阻止する一対の紙押さえ部材と、を備え、
前記紙押さえ部材は、薄板状に形成された押さえプレートを有し、
前記押さえプレートは、前記インクジェットヘッドのインク吐出面と前記連続紙との間のクリアランスに納まるように配設されていることを特徴とするインクジェットプリンタの紙送り装置。
【請求項２】
前記紙押さえ部材は、前記連続紙を幅方向に位置規制した状態で、その送りを案内するガイド部を有していることを特徴とする請求項１に記載のインクジェットプリンタの紙送り装置。
【請求項３】
前記連続紙には、幅の異なる複数種のものが用意されており、
前記紙押さえ部材は、前記連続紙の幅方向に進退自在に構成されていることを特徴とする請求項１または２に記載のインクジェットプリンタの紙送り装置。
【請求項４】
インクジェットヘッドに対峙すると共に連続紙の送り経路上に配設され、印刷に供する前記連続紙をエアー吸引する吸着テーブルと、
前記吸着テーブルに吸着させた状態で前記連続紙をその長さ方向に送る紙送り機構とを備え、
前記吸着テーブルは、整列配置した多数の吸引孔を有し、
前記連続紙の長さ方向に沿う複数の吸引孔列のうち、前記連続紙の幅方向両縁部を吸引する２つの吸引孔列は、前記連続紙の幅方向両端に近接して配設されていることを特徴とするインクジェットプリンタの紙送り装置。
【請求項５】
前記連続紙には、幅の異なる複数種のものが用意されており、
前記各幅の連続紙の幅方向両縁部を吸引する２つの吸引孔列は、それぞれ前記各幅の連続紙の幅方向両端に近接して配設されていることを特徴とする請求項４に記載のインクジェットプリンタの紙送り装置。
【請求項６】
前記各幅の連続紙に対応して、前記送り経路の幅を、幅方向の一方の端を定位置として可変可能な幅規制手段を備えたことを特徴とする請求項５に記載のインクジェットプリンタの紙送り装置。
【請求項７】
インクジェットヘッドに対峙すると共に連続紙の送り経路上に配設され、印刷に供する前記連続紙をエアー吸引する吸着テーブルと、
前記吸着テーブルに吸着させた状態で前記連続紙をその長さ方向に送る送り機構とを備え、
前記吸着テーブルは、幅の異なる複数種の連続紙のうち、最大幅の連続紙に対応して多数の吸引孔を有すると共に、
前記各幅の連続紙から外れた複数の吸引孔を閉塞する閉塞板を有していることを特徴とするインクジェットプリンタの紙送り装置。
【請求項８】
前記閉塞板は、前記連続紙の幅方向に進退自在に構成されていることを特徴とする請求項７に記載のインクジェットプリンタの紙送り装置。
【請求項９】
前記吸着テーブルは、前記多数の吸引孔を形成した吸引プレートを有し、
前記閉塞板は、前記吸引プレートの裏面側に臨んで前記複数の吸引孔を閉塞することを特徴とする請求項７または８に記載のインクジェットプリンタの紙送り装置。
【請求項１０】
前記各幅の連続紙に対応して、前記送り経路の幅を、幅方向の一方の端を定位置として可変可能な幅規制手段を備えたことを特徴とする請求項７ないし９のいずれかに記載のインクジェットプリンタの紙送り装置。
【請求項１１】
前記多数の吸引孔は、千鳥状に配設されていることを特徴とする請求項４ないし１０のいずれかに記載のインクジェットプリンタの紙送り装置。
【請求項１２】
請求項１ないし１１のいずれかに記載のインクジェットプリンタの紙送り装置を備えたことを特徴とするインクジェットプリンタ。
【手続補正２】
【補正対象書類名】明細書
【補正対象項目名】０００５
【補正方法】変更
【補正の内容】
【０００５】
【課題を解決するための手段】
本発明のインクジェットプリンタの紙送り装置は、インクジェットヘッドに対峙すると共に連続紙の送り経路上に配設され、印刷に供する連続紙をエアー吸引する吸着テーブルと、吸着テーブルに吸着させた状態で連続紙をその長さ方向に送る送り機構と、吸着テーブルに配設され、連続紙の送りを許容すると共に連続紙における幅方向の両縁部の浮き上がりを阻止する一対の紙押さえ部材と、を備え、紙押さえ部材は、薄板状に形成された押さえプレートを有し、押さえプレートは、インクジェットヘッドのインク吐出面と連続紙との間のクリアランスに納まるように配設されていることを特徴とする。
【手続補正３】
【補正対象書類名】明細書
【補正対象項目名】０００６
【補正方法】変更
【補正の内容】
【０００６】
この構成によれば、送り機構は連続紙をその長さ方向に送り、その際、連続紙をエアー吸引する吸着テーブルは、連続紙を吸着した状態を維持する。この連続紙の送り動作において、一対の紙押さえ部材が、連続紙における幅方向の両縁部の浮き上がりを阻止するため、連続紙は、吸着テーブル上において、縁部を含む全域において平坦度を維持する。また、紙押さえ部材を設けることで、吸着テーブルの吸引力を比較的小さくすることができ、連続紙の送りおよびエアーのリークによるインク曲がりへの影響を、極力少なくすることができる。
また、主・副走査されるインクジェットヘッドが、押さえプレートの位置まで移動しても、インクジェットヘッドが押さえプレートに干渉するのを防止することができる。このことは、また印刷エリアが制約を受けるのを防止することができる。なお、押さえプレートは、連続紙の幅方向の余白内に納まっていることが、好ましい。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】